(57)【要約】【課題】ヘッドバンド部が側圧付与部材を備えるヘッドホンにおいて、側圧付与部材の着脱を簡易に行うことで、側圧付与部材の付け替え操作の煩雑さを解消する。【解決手段】ヘッドホン１は、スピーカユニット２を有する一対の放音部１０と、ヘッドバンド部１２と、放音部１０とヘッドバンド部１２とを連結する支持腕部１１とを備える。支持腕部１１は、ヘッドバンド部１２と支持腕部１１とを連結する連結部１６を備える。ヘッドバンド部１２は側圧付与部材１３を備える。連結部１６は、連結部１６に対して側圧付与部材１３を着脱する着脱部２０を備え、着脱部２０は、連結部１６と連結する側圧付与部材１３の一部に係合する係合部材２１と、係合部材２１と側圧付与部材１３の一部の係合を解除する解除部材２２とを備える。解除部材２２は連結部１６に対して変位可能に設けられており、連結部１６に対する解除部材２２の変位が係合部材２１と側圧付与部材１３とを離間させる。【選択図】図２
2012147139.tif 000002
【特許請求の範囲】
【請求項１】
スピーカユニットを有する一対の放音部と、ヘッドバンド部と、前記放音部と前記ヘッドバンド部とを連結する支持腕部とを備え、
前記支持腕部は、前記ヘッドバンド部と当該支持腕部とを連結する連結部を備え、
前記ヘッドバンド部は側圧付与部材を備え、
前記連結部は、当該連結部に対して前記側圧付与部材を着脱する着脱部を備え、
前記着脱部は、前記連結部と連結する前記側圧付与部材の一部に係合する係合部材と、前記係合部材と前記側圧付与部材の一部の係合を解除する解除部材とを備え、
前記解除部材は前記連結部に対して変位可能に設けられ、
前記連結部に対する前記解除部材の変位が前記係合部材と前記側圧付与部材とを離間させることを特徴とするヘッドホン。
【請求項２】
前記ヘッドバンド部は、前記側圧付与部材と位置決めバンドとを備え、前記側圧付与部材は前記位置決めバンドに沿う形状を備えることを特徴とする請求項１記載のヘッドホン。
【請求項３】
前記側圧付与部材を複数備え、
一方の前記側圧付与部材の断面形状は、他方の前記側圧付与部材の断面形状に対して大きいことを特徴とする請求項２に記載のヘッドホン。
【請求項４】
複数の前記側圧付与部材は、互いに異なる曲げ剛性を有することを特徴とする請求項３に記載のヘッドホン。
【請求項５】
前記係合部材は弾性部材で構成され、
前記係合部材は、前記連結部の内側に固定される第１の部分と、当該第１の部分に対して変位する第２の部分とを備え、
前記第２の部分は、前記連結部の内側に配置される前記側圧付与部材の一部が有する被係合部と係合する係合部を備え、
前記解除部材は、前記連結部の内側に配置される一方の端部と、前記連結部の外側に配置される他方の端部とを備え、
前記解除部材の一方の端部が前記係合部材の第２の部分と連結していることを特徴とする請求項１〜４のいずれかに記載のヘッドホン。
【請求項６】
前記係合部材は、板状の形状を有し、前記第１の部分と前記第２の部分との間にて、前記側圧付与部材の端部の軸方向に沿う折曲部を備えることを特徴とする請求項５に記載のヘッドホン。
【請求項７】
前記側圧付与部材の被係合部は、当該側圧付与部材の内側に向かって凹状の断面形状を備え、
前記係合部は、前記第２の部分から前記解除部材の軸方向に折れ曲がる断面形状を備えることを特徴とする請求項６に記載のヘッドホン。
【請求項８】
前記解除部材は、前記係合部材の第２の部分と連結する第１のフランジ部と、前記連結部の内側側面に対向する第２のフランジ部と、前記連結部の外側に配置される解除操作部とを備え、
前記解除操作部は、前記連結部が有する孔部を通過しており、前記第２のフランジ部の外径は、前記連結部の孔部の内径より大きいことを特徴とする請求項５〜７のいずれかに記載のヘッドホン。
【請求項９】
前記解除部材は前記第１のフランジ部と前記第２のフランジ部との間に柱部を備え、
前記柱部は、前記連結部側に設けられる前記側圧付与部材の端部と対向する面を有することを特徴とする請求項８記載のヘッドホン。
【請求項１０】
前記側圧付与部材の端部は傾斜面を備え、
前記傾斜面は前記被係合部から前記端部の先端側に向かって当該端部の外径が小さくなる形状を備え、
前記第２のフランジ部は、前記側圧付与部材の端部に設けられる傾斜面に対面する傾斜面を有することを特徴とする請求項８又は９に記載のヘッドホン。
【請求項１１】
前記第２のフランジ部が有する傾斜面は、前記側圧付与部材の端部に設けられる傾斜面に沿う面を備え、
前記第２のフランジ部から前記第１のフランジ部に向かう前記解除部材の変位は前記連結部の内側から外側へ向かって前記側圧付与部材の端部を変位させることを特徴とする請求項１０に記載のヘッドホン。
【請求項１２】
前記連結部は、前記連結部側に設けられる前記側圧付与部材の端部が挿入する挿入孔部を備えることを特徴とする請求項１１に記載のヘッドホン。
【請求項１３】
前記連結部は、前記側圧付与部材の端部に対面する面を有し且つ前記挿入孔部を構成する筒状部を備えることを特徴とする請求項１２に記載のヘッドホン。
【請求項１４】
前記連結部の内側には、前記係合部材と前記解除部材とが変位可能な空間が設けられていることを特徴とする請求項１〜１３のいずれかに記載のヘッドホン。
【請求項１５】
前記ヘッドバンド部と前記支持腕部と前記放音部の筐体は金属部材で構成され、
前記支持腕部は、第１の樹脂部材を介して、前記筐体に取り付けられていることを特徴とする請求項１〜１４のいずれかに記載のヘッドホン。
【請求項１６】
前記放音部は、蓋体と前記筐体と当該筐体と当該蓋体との間に配置されるスピーカユニットとを備え、
前記スピーカユニットの音響放射側に対して逆側に配置される前記蓋体と前記スピーカユニットは、第２の樹脂部材を介して取り付けられていることを特徴とする請求項１５に記載のヘッドホン。
【発明の詳細な説明】
【技術分野】
【０００１】
本発明は、ヘッドホンに関するものである。
【背景技術】
【０００２】
下記特許文献１に記載されるような従来のヘッドホンは、スピーカユニットを備えた一対の筐体（放音部）と、この筐体を支持するヘッドバンド部を備えている。この従来のヘッドホンにおけるヘッドバンド部は、使用者の頭部に当接することで放音部を位置決めする部材と使用者の耳に放音部を押し付ける側圧を付与する部材とが別の部材になっている。
【先行技術文献】
【特許文献】
【０００３】
【特許文献１】実願平２−５２７７３号（実開平４−１２７８９号）のマイクロフィルム
【発明の概要】
【発明が解決しようとする課題】
【０００４】
従来のヘッドホンは、使用者の耳に放音部を押し付ける側圧を付与する部材（側圧付与部材）を備えるが、使用者の頭部の形状によって付与される側圧が異なり、使用者によって放音部と使用者の耳との密着性が変化し、放音部が使用者の耳を良好に密閉できない場合が生じる。放音部が使用者の耳に密着していない場合には、放音部から発せられる音が周囲に漏れて周囲の人に不快感を与え、また、周囲の雑音が使用者の耳に入り放音部から発せられる音を快適に聞くことができない問題が生じる。
【０００５】
これに対しては、側圧付与部材を使用者の頭部形状に応じて適正な側圧が付与できるものに付け替えることで対応可能であるが、付け替え操作が煩雑になるので、簡易に側圧付与部材を着脱できるヘッドホンが求められていた。
【０００６】
本発明は、このような問題に対処することを課題の一例とするものである。すなわち、使用者に適した側圧付与部材を選択することで放音部と使用者の耳との密着性を良好に高めることができること、側圧付与部材の着脱を簡易に行うことで、側圧付与部材の付け替え操作の煩雑さを解消すること、等が本発明の目的である。
【課題を解決するための手段】
【０００７】
このような目的を達成するために、本発明によるヘッドホンは、以下の構成を少なくとも具備するものである。
スピーカユニットを有する一対の放音部と、ヘッドバンド部と、前記放音部と前記ヘッドバンド部とを連結する支持腕部とを備え、前記支持腕部は、前記ヘッドバンド部と当該支持腕部とを連結する連結部を備え、前記ヘッドバンド部は側圧付与部材を備え、前記連結部は、当該連結部に対して前記側圧付与部材を着脱する着脱部を備え、前記着脱部は、前記連結部と連結する前記側圧付与部材の一部に係合する係合部材と、前記係合部材と前記側圧付与部材の一部の係合を解除する解除部材とを備え、前記解除部材は前記連結部に対して変位可能に設けられ、前記連結部に対する前記解除部材の変位が前記係合部材と前記側圧付与部材とを離間させることを特徴とするヘッドホン。
【図面の簡単な説明】
【０００８】
【図１】本発明の実施形態に係るヘッドホンを示した側面図である。
【図２】本発明の実施形態に係るヘッドホンの連結部を示した説明図である（同図（ａ）が外観図、同図（ｂ）が内部説明図）。
【図３】本発明の実施形態に係るヘッドホンの連結部における着脱部を示した説明図である。
【図４】本発明の実施形態に係るヘッドホンの連結部における着脱部の分解図である。
【図５】本発明の実施形態に係るヘッドホンにおける防振部を示した説明図である。
【図６】本発明の実施形態に係るヘッドホンにおける防振部を示した説明図である。
【発明を実施するための形態】
【０００９】
以下に、本発明の実施形態について、図面を参照しながら説明する。図１は、本発明の実施形態に係るヘッドホンを示した側面図である。本発明の実施形態に係るヘッドホン１は、スピーカユニットを有する一対の放音部１０，１０と、ヘッドバンド部１２と、放音部１０とヘッドバンド部１２とを連結する支持腕部１１とを備えている。支持腕部１１は、ヘッドバンド部１２と支持腕部１１とを連結する連結部１６を備えている。ヘッドバンド部１２は両端に一対の支持腕部１１，１１を介して放音部１０を支持している。ヘッドバンド部１２の一部（端部）が連結部１６を介して支持腕部１１に連結されている。
【００１０】
放音部１０は、筐体１０Ａを備え、その筐体１０Ａの内側にスピーカユニット２（図５参照）が配置されている。筐体１０Ａ内のスピーカユニット２には外部から音声信号をスピーカユニット２に供給するためのケーブル５が接続されている。筐体１０Ａにはスピーカユニットの音響放射側にて密接部１０Ｃが取り付けられている。また、スピーカユニット２の音響放射側とは逆側にて、筐体１０Ａには蓋体１０Ｂが取り付けられている。
【００１１】
図示の例では、放音部１０の筐体１０Ａは、支持腕部１１の両端部に支持されている。詳細には、筐体１０Ａは、所定の回転軸のまわりに、支持腕部１１に対して回転可能に支持腕部１１と連結している。前述の回転軸として、連結部１６近傍に配置される筐体１０Ａの面に沿う方向であって、且つ連結部を通過する方向が回転軸となっている。支持腕部１１に対する筐体１０Ａの支持はこれに限らず、筐体１０Ａは支持腕部１１の一部に支持されていればよい。
【００１２】
本発明の実施形態に係るヘッドホン１においては、ヘッドバンド部１２が少なくとも一つの側圧付与部材を備えている。図示の例では、一対の放音部１０，１０を支持する両端部を有するヘッドバンド部１２が、第１の側圧付与部材１３と第２の側圧付与部材１４と位置決めバンド１５を備えている。第１及び第２の側圧付与部材１３，１４は、位置決めバンド１５に沿う形状を備えた湾曲状の弾性部材であり、一対の放音部１０，１０を被装着位置に圧接するための側圧を付与する部材である。位置決めバンド１５は使用者の頭部に載せ置かれることで、使用者の耳に対する放音部１０，１０の位置決めを行う部材である。
【００１３】
ヘッドバンド部１２（第１及び第２の側圧付与部材１３，１４及び位置決めバンド１５）の両端部はいずれも連結部１６を介して一対の支持腕部１１，１１に連結されている。図示の例では位置決めバンド１５と第２の側圧付与部材１４が連結部１６に取り付けられている。第１の側圧付与部材１３において、第１の側圧付与部材１３の端部１３Ａが連結部１６に取り付けられている。この第１の側圧付与部材１３の端部１３Ａは、連結部１６に対して着脱可能に取り付けられている。
【００１４】
図２〜図４によってヘッドホン１の連結部１６を詳細に説明する。図２は、ヘッドホン１の連結部１６を示した説明図であり、同図（ａ）が外観図、同図（ｂ）が内部説明図である。図３は、ヘッドホン１の連結部１６における着脱部２０を示した説明図である。図４は、連結部１６における着脱部２０の分解図である。
【００１５】
図示の例では、第２の側圧付与部材１４には、位置決めバンド１５の端部１５Ａがネジ１７Ａ及び取付パット１７Ｂ、被取付パット１７Ｃで構成される取付部材１７を介して取り付けられている。取付部材１７は、第２の側圧付与部材１４に対する位置決めバンドの位置を変更可能となるように、第２の側圧付与部材１４に取り付けられている。詳細には、取付部材１７の孔部を第２の側圧付与部材が通過している。また、取付部材１７は、第２の側圧付与部材１４に沿って、規定の位置に配置される。このため、取付部材１７が第２の側圧付与部材１４の規定の位置にて配置されることで、位置決めヘッドバンド１５を使用者に応じて配置することができる。第２の側圧付与部材１４の面上には、取付部材１７の位置を規定する突起部１４Ａが複数、所定の間隔をあけて設けられている（図５参照）。この突起部１４Ａに対応する位置にて取付部材１７が配置され、使用者の耳に対応するように位置決めバンド１５が位置決めされる。
【００１６】
また、第２の側圧付与部材１４はその端部が連結部１６に取り付けられており、第２の側圧付与部材１４は連結部１６に固定されている。第２の側圧付与部材１４に対する位置決めヘッドバンドの位置の変更に伴って、使用者の耳に対する一対の放音部１０の位置が変更される。また、同時に使用者の耳への側圧も変化する場合がある。
【００１７】
連結部１６は、第１の側圧付与部材１３の端部１３Ａが挿入される挿入孔部１６Ｂを備えている。また、連結部１６は、第１の側圧付与部材１３の端部１３Ａに対面する面を有し且つ挿入孔部１６Ｂを構成する筒状部１６Ｃを備えている。連結部１６の挿入孔部１６Ｂに第１の側圧付与部材１３の端部１３Ａを挿入することで、端部１３Ａが連結部１６に着脱可能に取り付けられる。第１の側圧付与部材１３の端部１３Ａは、連結部１６に取り付けられた時、筒状部１６Ｃが有する面に接触しても構わない。
【００１８】
連結部１６は、連結部１６に対して側圧付与部材を着脱する着脱部２０を備えている。図示の例では、連結部１６には、カバー１６Ｆを取り外すと、第１の側圧付与部材１３の端部１３Ａを連結部１６に対して着脱するための着脱部２０が設けられている。着脱部２０は、連結部１６と連結する第１の側圧付与部材１３の一部に係合する係合部材２１と、係合部材２１と第１の側圧付与部材１３の一部の係合を解除する解除部材２２とを備えている。
【００１９】
解除部材２２は、連結部１６に対して変位可能に設けられている。また、解除部材２２の一端部に係合部材２１の一部が取り付けられている。そして、連結部１６に対する解除部材２２の変位が係合部材２１と第１の側圧付与部材１３とを離間させる。具体的には、解除部材２２を連結部１６に対して変位させることによって、係合部材２１が弾性変形し、この係合部材２１の弾性変形に伴って、第１の側圧付与部材１３の端部１３Ａに対して係合部材２１が離れ、係合部材２１と第１の側圧付与部材１３の端部１３Ａの係合が解除される。
【００２０】
以下に、着脱部２０を更に具体的に説明する。係合部材２１は、図４に示すように、連結部１６の内部に固定される第１の部分２１Ａと、連結部１６内部に挿入される第１の側圧付与部材１３の端部１３Ａの周囲で第１の部分２１Ａに対して変位する第２の部分２１Ｂとを備えている。より具体的には、係合部材２１は、板状の形状を有する弾性部材で構成され、第１の部分２１Ａと第２の部分２１Ｂとの間にて、第１の側圧付与部材１３の端部１３Ａの軸方向に沿う折曲部２１Ｃを備える。この折曲部２１Ｃで第１の部分２１Ａと第２の部分２１Ｂが実質的に屈曲又は屈折することで、第２の部分２１Ｂが第１の部分２１Ａに対して変位する。第２の部分２１Ｂは、解除部材２２の軸方向に沿って変位する。
【００２１】
図示の例では、係合部材２１の第１の部分２１Ａは取付孔２１Ｅを有し、取付孔に挿入される取付部材（ネジ）１８を連結部１６の被取付部１６Ｅに取り付けることで、第１の部分２１Ａが連結部１６の内部に固定される。一方、係合部材２１の第２の部分２１Ｂは取付部材２２Ｅによって解除部材２２の端部に設けられた第１のフランジ部２２Ａに取り付けられている。
【００２２】
係合部材２１の第２の部分２１Ｂは、連結部１６の内側に配置される第１の側圧付与部材１３の一部が有する被係合部１３Ａ１と係合する係合部２１Ｂ１を備えている。被係合部１３Ａ１は第１の側圧付与部材１３の端部１３Ａに設けられる。
【００２３】
第１の側圧付与部材１３の端部１３Ａに設けられる被係合部（凹状部）１３Ａ１は、端部１３Ａの内側に向かって凹状の断面形状を備えている。これに対して、係合部材２１の係合部２１Ｂ１は、第１の側圧付与部材１３の端部１３Ａの軸方向に沿った第２の部分２１Ｂから解除部材２２の軸方向に折れ曲がる断面形状を備えている。
【００２４】
解除部材２２は、連結部１６の内側に配置される一方の端部と、連結部１６の外側に配置される他方の端部とを備え、解除部材２２の一方の端部が係合部材２１の第２の部分２１Ｂと連結している。そして、解除部材２２は、係合部材２１の第２の部分２１Ｂと連結する第１のフランジ部２２Ａと、連結部１６の内側側面に対向する第２のフランジ部２２Ｂと、連結部１６の外側に配置される解除操作部２２Ｃとを備えている。解除操作部２２Ｃは、連結部１６の孔部１６Ａ内を通過して外側に突出している。また、第２のフランジ部２２Ｂの外径は孔部１６Ａの内径より大きい。これによって、第２のフランジ部２２Ｂは、解除操作部２２Ｃを設定の長さだけ連結部１６の外側に突出させる抜け止めの機能を有している。
【００２５】
解除部材２２は、第１のフランジ部２２Ａと第２のフランジ部２２Ｂとの間に柱部２２Ｄを備え、柱部２２Ｄは、連結部１６側に設けられる第１の側圧付与部材１３の端部１３Ａと対向する面を有する。第１の側圧付与部材１３の端部１３Ａを連結部１６の挿入孔部１６Ｂに挿入すると、端部１３Ａの先端は解除部材２２の柱部２２Ｄの面に接し、連結部１６に対する端部１３Ａの挿入長さが規定される。また、図４に示すように、端部１３Ａの先端部が柱部２２Ｄに当接すると、係合部材２１の係合部２１Ｂ１が端部１３Ａの被係合部１３Ａ１に係合される。なお、端部１３Ａが連結部１６に取り付けられている際には、端部１３Ａは柱部２２Ｄに接触していても、端部１３Ａと柱部２２Ｄとの間に所定の間隙が設けられていても構わない。
【００２６】
第１の側圧付与部材１３の端部１３Ａは、傾斜面１３Ａ２を備えている。この傾斜面１３Ａ２は、被係合部１３Ａ１から端部１３Ａの先端側に向かって端部１３Ａの外径が小さくなる形状を備えている。一方、第２のフランジ部２２Ｂは、第１の側圧付与部材１３の端部１３Ａに設けられる傾斜面１３Ａ２に対面する傾斜面２２Ｂ１を有している。この傾斜面２２Ｂ１は、傾斜面１３Ａ２に接することができればよく、例えば傾斜面１３Ａ２に沿う面を備えている。
【００２７】
連結部１６の内部は、係合部材２１と解除部材２２とが変位可能な空間を有している。解除部材２２の解除操作部２２Ｃが押圧されることで、解除部材２２の一部が連結部１６の空間内で変位する。解除部材２２の一部の変位により、解除部材２２の第１のフランジ部２２Ａに取り付けられている係合部材２１の第２の部分２１Ｂが第１の部分２１Ａに対して変位する。第２の部分２１Ｂの変位により、係合部材２１の係合部２１Ｂ１と第１の側圧付与部材１３の端部１３Ａにおける被係合部１３Ａ１の係合が解除される。また、係合部２１Ｂ１と被係合部１３Ａ１の係合が解除されるとともに、第２のフランジ部２２Ｂから第１のフランジ部２２Ａに向かう解除部材２２の変位は連結部１６の内側から外側へ向かって第１の側圧付与部材１３の端部１３Ａを変位させる。すなわち、解除部材２２の変位によって、解除部材２２の第２のフランジ部２２Ｂが有する傾斜面２２Ｂ１が第１の側圧付与部材１３の端部１３Ａに設けられる傾斜面１３Ａ２に接し、傾斜面２２Ｂ１と傾斜面１３Ａ２との接触と解除部材２２の変位とにより、第１の側圧付与部材１３の端部１３Ａが連結部１６の外側に向けて押し出される。
【００２８】
ヘッドホン１は、異なる複数の第１の側圧付与部材１３を備えても構わない。複数の第１の側圧付与部材１３として、例えば、一方の第１の側圧付与部材１３の断面形状が、他方の第１の側圧付与部材の断面形状に対して大きい外形を有する場合が挙げられる。この例において、第１の側圧付与部材１３の外形（湾曲径）は互いに実質的に同じであっても、複数の第１の側圧付与部材１３の外形（湾曲径）を互いに異ならせても構わない。第１の側圧付与部材の断面形状、又は外形を異ならせることで、第１の側圧付与部材１３の曲げ剛性が互いに異なるので、複数の第１の側圧付与部材１３の側圧を異ならせることができる。また、前述のように、第２の側圧付与部材１４に対する位置決めヘッドバンドの位置の変更に伴って、使用者の耳に対する一対の放音部１０の位置が変更される。このとき、使用者の耳への放音部１０の側圧が変化しても、使用者に対応する第１の側圧付与部材１３を連結部１６に取り付けることで、側圧を調整することができる。
【００２９】
このような構成を備えたヘッドホン１によると、第１の側圧付与部材１３の端部１３Ａが連結部１６の挿入孔部１６Ｂに挿入されることで、端部１３Ａの被係合部１３Ａ１に係止部材２１の係合部２１Ｂ１が係合される。複数の第１の側圧付与部材１３のうち、使用者が好む側圧を付与する第１の側圧付与部材１３に付け替える際には、解除部材２２の解除操作部２２Ｃを押圧することで、簡単に連結部１６から第１の側圧付与部材１３の端部１３Ａを取り外すことができる。
【００３０】
これによると、使用者に適した第１の側圧付与部材１３を選択することで放音部１０と使用者の耳との密着性を良好に高めることができる。また、第１の側圧付与部材１３の着脱を簡易に行うことで、第１の側圧付与部材１３の付け替え操作の煩雑さを解消することができる。
【００３１】
本発明の実施形態に係るヘッドホン１は、前述した第１の側圧付与部材１３の着脱部に加えて、スピーカユニットの振動がヘッドバンド部１２に伝達するのを抑止する防振部を備えている。図５及び図６は、本発明の実施形態に係るヘッドホンの防振部を示した説明図である。
【００３２】
ヘッドホン１は、ヘッドバンド部１２と支持腕部１１と放音部１０の筐体１０Ａが金属部材で構成されている。そして、支持腕部１１は、第１の樹脂部材３を介して、筐体１０Ａに取り付けられている。また、放音部１０は、筐体１０Ａと筐体１０Ａに取り付けられるスピーカユニット２とスピーカユニット２を覆う蓋体１０Ｂとを備えており、スピーカユニット２の音響放射側に対して逆側に配置される蓋体１０Ｂとスピーカユニット２は、第２の樹脂部材４を介して取り付けられている。蓋体１０Ｂは、複数の孔部を有する金属部材で構成されていても構わない。
【００３３】
支持腕部１１の両端部は、柱部とフランジ部とを有する取付部材１９を介して筐体１０Ａと連結している。取付部材１９は、支持腕部１１に固定されていても構わない。取付部材１９に支持腕部１１が固定されている場合、支持腕部１１は、取付部材１９の孔部に挿入され、筐体１０Ａ内に配置される棒状部材を介して、放音部１０に対して回転可能に連結される。取付部材１９と棒状部材は、金属部材にて構成される。また、筐体１０Ａは取付部材１９が配置される取付孔１０Ａ１を備える。この取付部材１９の周囲を覆うように第１の樹脂部材３が設けられる。第１の樹脂部材３は取付部材１９が挿入される孔を有する。この第１の樹脂部材３の孔に取付部材１９が挿入されて第１の樹脂部材３が支持腕部１１と筐体１０Ａの間に介在されることで、スピーカユニット２から支持腕部１１に伝播する振動が第１の樹脂部材３によって減衰できる。すなわち、スピーカユニット２に生じる振動が支持腕部１１に伝わり難くできる。
【００３４】
また、スピーカユニット２の背面側（音響放射側と逆側）にはスペーサ１０Ｄを介して蓋体１０Ｂが取り付けられるが、スピーカユニット２の背面側（音響放射側に対して逆側）に配置される被取付部２Ａに第２の樹脂部材４を嵌め込み、この第２の樹脂部材４を介してスペーサ１０Ｄ及び蓋体１０Ｂを取り付ける。これによって、スピーカユニット２から蓋体１０Ｂに伝播する振動が第２の樹脂部材４によって減衰できる。すなわち、スピーカユニット２に生じる振動が蓋体１０Ｂに伝わり難くできる。
【００３５】
このような防振部を備えたヘッドホン１は、スピーカユニット２に生じる振動が放音部１０やヘッドバンド部１２の金属部材に伝わって異音を発生する不具合を抑制することができる。また、スピーカユニット２の振動が放音部１０やヘッドバンド部１２を介して使用者に伝わる不具合を抑制することができる。
【００３６】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。上述の各図で示した実施の形態は、その目的及び構成等に特に矛盾や問題がない限り、互いの記載内容を組み合わせることが可能である。また、各図の記載内容はそれぞれ独立した実施形態になり得るものであり、本発明の実施形態は各図を組み合わせた一つの実施形態に限定されるものではない。
【符号の説明】
【００３７】
１：ヘッドホン，２：スピーカユニット，３：第１の樹脂部材，
４：第２の樹脂部材，５：ケーブル，
１０：放音部，１０Ａ：筐体，１０Ｂ：蓋体，１０Ｃ：密接部，
１１：支持腕部，１２：ヘッドバンド部，１３：第１の側圧付与部材，
１３Ａ：端部，１３Ａ１：被係合部（凹状部），１３Ａ２：傾斜面，
１４：第２の側圧付与部材，１５：位置決めバンド，１６：連結部，
１６Ａ：孔部，１６Ｂ：挿入孔部，１６Ｃ：筒状部，１７：取付部材，
２０：着脱部，２１：係合部材，
２１Ａ：第１の部分，２１Ｂ：第２の部分，
２１Ｂ１：係合部，２１Ｃ：折曲部，
２２：解除部材，２２Ａ：第１のフランジ部，２２Ｂ：第２のフランジ部，
２２Ｂ１：傾斜面，２２Ｃ：解除操作部，２２Ｄ：柱部
【図１】
2012147139.tif 000003
【図２】
2012147139.tif 000004
【図３】
2012147139.tif 000005
【図４】
2012147139.tif 000006
【図５】
2012147139.tif 000007
【図６】
2012147139.tif 000008